(57)【要約】【課題】インターホンシステムにおける安定的な通信を実現する。【解決手段】呼出装置１１では、制御部２５が、電話回線１０１あるいはＬＡＮ１０３を用いる二通りの通信を、選択的に実施することが可能である。このため、呼出装置１１では、制御部２５は、たとえば、電話回線１０１およびＬＡＮ１０３のいずれか一方に不具合が生じた場合に、他方を用いることができる。これにより、通信不能を抑制することができる。したがって、建物１の住人は、呼出装置１１および携帯端末４１を介して、良好に、訪問者の来訪を知ること、および、訪問者に対応することが可能である。【選択図】図２
2020136917.tif 000002
【特許請求の範囲】
【請求項１】
呼出ボタン、
電話回線を介して外部機器と通信するための第１通信部、
ＬＡＮを介して前記外部機器と通信するための第２通信部、および、
前記外部機器との通信のために、前記第１通信部と前記第２通信部とのいずれを用いるかを選択する制御部、を有する、
呼出装置。
【請求項２】
請求項１に記載の呼出装置と、前記電話回線を介して通信するための第３通信部、および、
前記呼出装置と前記ＬＡＮを介して通信するための第４通信部、を備えた、前記外部機器としての携帯端末。
【請求項３】
携帯端末のコンピュータを、請求項２に記載の携帯端末における第３通信部および第４通信部として機能させる、コンピュータプログラム。
【発明の詳細な説明】
【技術分野】
【０００１】
本発明は、呼出装置、携帯端末およびコンピュータプログラムに関する。
【背景技術】
【０００２】
建物の玄関や門柱に取り付けられたインターホン用の呼出装置、および、この呼出装置に接続された携帯端末を介して、建物の訪問者と住人とが会話するためのシステムが開発されている。このシステムでは、一般に、呼出装置と携帯端末との間の通信のために、建物に構築された有線ＬＡＮあるいは無線ＬＡＮが用いられる（たとえば、特許文献１参照）。
【先行技術文献】
【特許文献】
【０００３】
【特許文献１】特開２０１７−１８４０１０号公報
【発明の概要】
【発明が解決しようとする課題】
【０００４】
しかし、ＬＡＮによる通信は、電波干渉あるいは断線などにより、不安定になることがある。
【課題を解決するための手段】
【０００５】
本開示の一態様にかかる呼出装置（本呼出装置）は、呼出ボタン、電話回線を介して外部機器と通信するための第１通信部、ＬＡＮを介して前記外部機器と通信するための第２通信部、および、前記外部機器との通信のために、前記第１通信部と前記第２通信部とのいずれを用いるかを選択する制御部、を有する。
【０００６】
本呼出装置は、建物に設置され、訪問者が建物管理者に自身の訪問を告げるために用いられる。建物は、たとえば戸建住宅および集合住宅であり、建物管理者は、たとえば建物の住人である。本呼出装置は、たとえば、戸建住宅の門柱あるいは玄関脇、集合住宅の集合玄関あるいは各戸の玄関脇に設置される。訪問者は、訪問を告げるために、呼出ボタンを用いることができる。
【０００７】
呼出ボタンは、たとえば、訪問者に触れられることにより、呼出信号を出力する。本呼出装置は、外部機器と通信するように構成されており、たとえば、呼出ボタンの呼出信号を外部機器に送信する。外部機器は、たとえば、建物管理者に所持あるいは管理されている。建物管理者は、この外部機器を介して、呼出ボタンが操作されたこと（たとえば、呼出信号を受信したこと）を知ることができる。そして、この通信のために、本呼出装置は、第１通信部および第２通信部を備えている。
【０００８】
第１通信部は、本呼出装置と外部機器とを、電話回線を介して通信可能とする。電話回線は、たとえば、４Ｇ回線、５Ｇ回線、ＬＴＥ回線および公衆電話回線を含む。
【０００９】
第２通信部は、本呼出装置と外部機器とを、ＬＡＮ（Local Area Network）を介して通信可能とする。ＬＡＮは、本呼出装置の設置されている建物に構築されたネットワークであり、無線ＬＡＮおよび有線ＬＡＮの少なくとも一方を含む。
【００１０】
制御部は、本呼出装置と外部機器との間の通信のために、前記第１通信部と前記第２通信部とのいずれを用いるかを選択する。このように、本呼出装置では、電話回線あるいはＬＡＮを介する二通りの通信を、選択的に実施することが可能である。このため、制御部は、たとえば、電話回線およびＬＡＮのいずれか一方に不具合が生じた場合に、他方を用いることができる。これにより、通信不能を抑制することができる。
【００１１】
制御部は、あらかじめ設定されている基準に基づいて、電話回線およびＬＡＮのいずれを用いるかを選択してもよい。たとえば、制御部は、ＬＡＮを介した第２通信部による通信を、優先的に選択するように設定されていてもよい。この構成では、何らかの事情でＬＡＮの使用が困難である場合に、電話回線を介した第１通信部による通信が選択される。この構成では、ＬＡＮによる通信が優先されるので、通信コストを抑えること、および、通信速度を高めることができる。
【００１２】
また、制御部は、電話回線による通信速度が所定値よりも低い場合に、第２通信部を選択するように構成されてもよい。すなわち、外部機器が、電話回線の圏外あるいは圏外付近に位置している場合もありえる。このような場合でも、制御部は、ＬＡＮによる通信を選択することができるので、電話回線を使用することによって通信が不安定となることを抑制できる。
【００１３】
また、制御部は、ＬＡＮによる通信速度が所定値よりも低い場合に、第１通信部を選択するように構成されてもよい。すなわち、外部機器が、ＬＡＮに接続されていない場合、あるいは、外部機器とＬＡＮとの接続が不安定となる場合もありえる。このような場合でも、制御部は、電話回線による通信を選択することができるので、ＬＡＮを使用することによって通信が不安定となることを抑制できる。
【００１４】
建物に構築されているＬＡＮは、無線ＬＡＮであっても有線ＬＡＮであってもよい。これに関し、無線ＬＡＮ通信は、付近の他の無線ＬＡＮ通信と干渉する可能性があるとともに、他の機器から発せられる電波の影響を受ける可能性がある。このような場合には、ＬＡＮによる通信速度が低下するため、制御部は、電話回線を用いた第１通信部による通信を選択することが好ましい。
【００１５】
また、建物に、有線ＬＡＮと無線ＬＡＮとが共存している場合もある。このような場合に備えて、本呼出装置における第２通信部は、有線ＬＡＮ通信部および無線ＬＡＮ通信部を備えていてもよい。有線ＬＡＮ通信部は、有線ＬＡＮを介して外部機器と通信するために用いられる。無線ＬＡＮ通信部は、無線ＬＡＮを介して外部機器と通信するために用いられる。この構成では、制御部は、第２通信部を選択する際、さらに、有線ＬＡＮ通信部および無線ＬＡＮ通信部のいずれを用いるかを選択する。
【００１６】
この構成では、制御部は、あらかじめ設定されている基準に基づいて、有線ＬＡＮおよび無線ＬＡＮのいずれを用いるかを選択してもよい。たとえば、制御部は、有線ＬＡＮを介した通信を優先的に選択し、何らかの事情で有線ＬＡＮの使用が困難である場合に、無線ＬＡＮを介した通信を選択するように構成されていてもよい。あるいは、制御部は、無線ＬＡＮ（有線ＬＡＮ）による通信速度が所定値よりも低い場合に、有線ＬＡＮ（無線ＬＡＮ）を選択するように構成されてもよい。この構成では、制御部は、ＬＡＮを使用することによって通信が不安定となることを抑制できる。
【００１７】
外部機器は、たとえば、専用の応答装置であってもよい。この応答装置は、建物管理者の取り扱いやすい場所に設置されていることが好ましく、本呼出装置の設置された建物の内部に固定されていてもよいし、他の建物あるいは車両に固定されていてもよい。さらに、外部機器は、建物管理者の所持する携帯端末（たとえば、スマートフォンあるいは携帯型タブレット）であってもよい。外部機器が携帯端末である場合、建物管理者は、建物の内部にいなくてもよい。建物管理者は、建物から離れた場所にいても、本呼出装置と外部機器との電話回線を介する通信によって、訪問者の来訪を知ることが可能である。
【００１８】
また、本呼出装置は、訪問者と建物管理者との会話を可能とするマイクロフォン、スピーカーおよびカメラ（訪問者を撮影するもの）を備えてもよい。この構成では、本呼出装置は、いわゆるインターホンとして機能する。これによれば、訪問者と建物管理者との間の意思疎通を円滑化することが可能となる。
【００１９】
また、本開示の一態様にかかる携帯端末（本携帯端末）は、本呼出装置と、前記電話回線を介して通信するための第３通信部、および、本呼出装置と前記ＬＡＮを介して通信するための第４通信部、を備えた、前記外部機器としての携帯端末である。
【００２０】
本携帯端末は、上記した本呼出装置に関する外部機器として機能する。このため、本携帯端末は、本呼出装置の第１通信部と電話回線を介して通信するための第３通信部、および、本呼出装置の第２通信部とＬＡＮを介して通信するための第４通信部を備えている。本携帯端末は、建物管理者によって所持（携帯）されており、本呼出装置の呼出ボタンが操作されたこと（たとえば、呼出信号が出力されたこと）を、建物管理者に伝達することができる。
【００２１】
なお、本呼出装置がマイクロフォン、スピーカーおよびカメラを備えている場合、本携帯端末も、同様に、マイクロフォンおよびスピーカーを備え、さらに、本呼出装置のカメラによって撮像された画像を表示するための画面を備えていてもよい。
【００２２】
さらに、本開示の一態様にかかるコンピュータプログラムは、携帯端末のコンピュータを、本携帯端末における第３通信部および第４通信部として機能させるものである。これによれば、汎用の携帯端末を、本携帯端末として機能させることができる。
【発明の効果】
【００２３】
本開示の一態様によれば、本呼出装置と外部機器との間で、電話回線あるいはＬＡＮを用いる二通りの通信を、選択的に実施することが可能である。このため、たとえば、電話回線およびＬＡＮのいずれか一方に不具合が生じた場合に、他方を用いることで、通信不能を抑制することができる。
これにより、建物管理者は、本呼出装置および外部機器を介して、良好に、訪問者の来訪を知ること、および、訪問者に対応することが可能である。
【図面の簡単な説明】
【００２４】
【図１】一実施形態にかかるインターホンシステムの概要を示す説明図である。
【図２】インターホンシステムにおける呼出装置および携帯端末の構成を示すブロック図である。
【図３】呼出装置の制御部による処理の流れを示すフローチャートである。
【図４】第２通信部の変形例を示すブロック図である。
【発明を実施するための形態】
【００２５】
図１に示すように、本実施形態にかかるインターホンシステムは、建物１の外に設置されている呼出装置１１、および、建物１の住人に所持されている携帯端末４１を含んでいる。建物１の住人は、建物管理人の一例に相当する。携帯端末４１は、外部機器の一例に相当する。
【００２６】
呼出装置１１は、建物１に設置され、訪問者が住人に自身の訪問を告げるために用いられる。本実施形態では、呼出装置１１は、戸建住宅としての建物１の門柱２に備えられている。
【００２７】
図２に示すように、呼出装置１１は、携帯端末４１に対して、電話回線１０１およびＬＡＮ１０３を介して通信可能に構成されている。
呼出装置１１は、呼出ボタン１３、携帯端末４１と通信するための第１通信部１５および第２通信部１７、ユーザインターフェイスとしてのマイクロフォン１９、スピーカー２１およびカメラ２３、ならびに、呼出装置１１の構成要素を制御する制御部２５を備えている。
【００２８】
呼出ボタン１３は、訪問者に触れられることにより、呼出信号を出力する。
呼出装置１１は、呼出ボタン１３によって出力された呼出信号を、携帯端末４１に送信する。建物１の住人は、携帯端末４１を介して、呼出装置１１の呼出ボタン１３が操作されたことを知ることができる。そして、呼出装置１１とおよび携帯端末４１との通信のために、呼出装置１１は、第１通信部１５および第２通信部１７を備えている。
【００２９】
第１通信部１５は、ＳＩＭカード１５ａを有しており、呼出装置１１と携帯端末４１とを、電話回線１０１を介して通信可能とする。電話回線１０１は、たとえば、３Ｇ回線、４Ｇ回線、５Ｇ回線、ＬＴＥ回線および公衆電話回線を含む。
【００３０】
第２通信部１７は、呼出装置１１と携帯端末４１とを、ＬＡＮ（Local Area Network）１０３を介して通信可能とする。ＬＡＮ１０３は、呼出装置１１の設置されている建物に構築されたネットワークであり、本実施形態では無線ＬＡＮとして構成されている。
【００３１】
マイクロフォン１９、スピーカー２１およびカメラ２３は、呼出装置１１の前面に設けられている。
マイクロフォン１９は、呼出装置１１と携帯端末４１とが通信可能となったときに、呼出装置１１の利用者である訪問者の音声を含む音声信号を生成し、携帯端末４１に伝達するために用いられる。同様に、スピーカー２１は、携帯端末４１から送信される音声信号に含まれる音声を訪問者に伝達するために用いられる。カメラ２３は、呼出装置１１の正面を撮像して画像信号を生成し、携帯端末４１に伝達するために用いられる。この画像信号は、通常、訪問者の画像を含んでいる。
【００３２】
制御部２５は、訪問者によって呼出ボタン１３が押されたときに、呼出装置１１と携帯端末４１との通信のために、第１通信部１５と第２通信部１７とのいずれを用いるか、すなわち、電話回線１０１とＬＡＮ１０３とのいずれを介した通信を実施するかを選択する。この選択に関しては後述する。
【００３３】
制御部２５は、呼出装置１１と携帯端末４１とが通信可能となったときに、呼出ボタン１３から出力される呼出信号を、携帯端末４１に送信する。また、制御部２５は、マイクロフォン１９によって生成された音声信号、および、カメラ２３によって生成された画像信号を、携帯端末４１に送信する。さらに、制御部２５は、携帯端末４１から送信された音声信号に含まれる音声を、スピーカー２１を介して出力する。
【００３４】
携帯端末４１は、建物１の住人に所持（携帯）されており、呼出装置１１の呼出ボタン１３が操作されたこと（呼出信号が出力されたこと）を、建物１の住人に伝達することができる。
【００３５】
図２に示すように、携帯端末４１は、ユーザインターフェイスとしてのマイクロフォン４９、スピーカー５１および画面５３、メモリ５５、ならびに、携帯端末４１の各構成要素を制御するプロセッサ５７を備えている。
【００３６】
マイクロフォン４９は、呼出装置１１と携帯端末４１とが通信可能となったときに、携帯端末４１の利用者である建物１の住人の音声を含む音声信号を生成し、呼出装置１１に伝達するために用いられる。同様に、スピーカー５１は、呼出装置１１から送信される呼出信号に含まれる音声（たとえばチャイム音）、および、呼出装置１１から送信される音声信号に含まれる音声を、建物１の住人に伝達するために用いられる。画面５３は、呼出装置１１から送信された画像信号に含まれる画像（たとえば、訪問者の画像）を表示するために用いられる。
【００３７】
メモリ５５は、携帯端末４１の記憶部である。メモリ５５は、たとえば、プロセッサ５７によって取得された各種のデータを記憶する。また、メモリ５５は、たとえばコンピュータネットワークを介してダウンロードされた、アプリケーションプログラム（アプリ、プログラムおよび／またはプログラム製品）６０を格納している。
【００３８】
プロセッサ５７は、コンピュータプログラムとしてのアプリケーションプログラム６０（アプリケーションプログラム６０に含まれる命令）にしたがって、第３通信部４３および第４通信部４５として機能する。
アプリケーションプログラム６０は、メモリ５５のような、プロセッサ５７（コンピュータ）によって読み取り可能な非一過性の記録媒体に記録されることができる。
【００３９】
第３通信部４３は、ＳＩＭカード４３ａを用いて、呼出装置１１の第１通信部１５と電話回線１０１を介して通信するために用いられる。第４通信部４５は、呼出装置１１の第２通信部１７とＬＡＮ１０３を介して通信するために用いられる。
【００４０】
また、プロセッサ５７は、呼出装置１１と携帯端末４１とが通信可能となったときに、呼出装置１１から送信される呼出信号および音声信号に含まれる音声を、スピーカー２１を介して出力する。また、プロセッサ５７は、マイクロフォン４９によって生成された音声信号を、携帯端末４１に送信する。さらに、プロセッサ５７は、携帯端末４１から送信された画像信号に含まれる画像を、画面５３を介して表示する。
【００４１】
次に、訪問者によって呼出ボタン１３が押された際における、呼出装置１１の制御部２５による処理について説明する。この処理は、呼出装置１１と携帯端末４１との通信のために、第１通信部１５を用いた電話回線１０１（第１通信部１５）を介する通信と、第２通信部１７を用いたＬＡＮ１０３（第２通信部１７）を介する通信とのいずれを実施するかの選択、すなわち、通信方法の選択を含む。
【００４２】
図３に示すように、呼出装置１１が押されると（Ｓ１１）、制御部２５は、まず、第２通信部１７を用いたＬＡＮ１０３を介する通信の確立を試みる。すなわち、制御部２５は、ＬＡＮ１０３を介する通信によって、携帯端末４１との接続を図る（Ｓ１２）。所定時間が経過する前に、ＬＡＮ１０３を介する呼出装置１１と携帯端末４１との通信が確立された場合（Ｓ１３）、制御部２５は通信を開始する（Ｓ１６）。呼出装置１１と携帯端末４１との通信が切断されると（Ｓ１７）、制御部２５は、処理を終了する。呼出装置１１と携帯端末４１との通信の切断は、たとえば、携帯端末４１の利用者である建物１の住人が携帯端末４１を用いた切断動作によって実施される。
【００４３】
一方、所定時間が経過しても、ＬＡＮ１０３を介する通信が確立されない場合（Ｓ１３;いわゆるタイムアウト）、制御部２５は、ＬＡＮ１０３を介する通信を断念し、第１通信部１５を用いた電話回線１０１を介する通信の確立を試みる。すなわち、制御部２５は、電話回線１０１を介する通信によって、携帯端末４１との接続を図る（Ｓ１４）。所定時間が経過する前に、電話回線１０１を介する呼出装置１１と携帯端末４１との通信が確立された場合（Ｓ１５）、制御部２５は通信を開始する（Ｓ１６）。
【００４４】
また、所定時間が経過しても、電話回線１０１を介する通信が確立されない場合、制御部２５は、第１通信部１５を用いた通信も断念し、処理を終了する（Ｓ１５）。
【００４５】
以上のように、呼出装置１１では、制御部２５が、電話回線１０１あるいはＬＡＮ１０３を用いる二通りの通信を、選択的に実施することが可能である。このため、呼出装置１１では、制御部２５は、たとえば、電話回線１０１およびＬＡＮ１０３のいずれか一方に不具合が生じた場合に、他方を用いることができる。これにより、通信不能を抑制することができる。したがって、建物１の住人は、呼出装置１１および携帯端末４１を介して、良好に、訪問者の来訪を知ること、および、訪問者に対応することが可能である。
【００４６】
また、本実施形態では、外部機器として、建物１の住人が所持する携帯端末４１が用いられている。この携帯端末４１は、たとえば、スマートフォンあるいは携帯型タブレットである。外部機器として携帯端末４１を用いる場合、建物１の住人は、建物１から離れた場所にいても、呼出装置１１と携帯端末４１との電話回線１０１を介する通信によって、訪問者の来訪を知ること、および、訪問者に対応することが可能である。
【００４７】
また、図３に示した処理では、制御部２５は、ＬＡＮ１０３を用いた通信が確立されなかった場合に、電話回線１０１を用いた通信の実施を試みるように構成されている。すなわち、制御部２５は、ＬＡＮ１０３を、電話回線１０１に対して優先的に用いている。この構成では、ＬＡＮ１０３を介する通信が優先されるので、通信コストを抑えること、および、通信速度を高めることができる。
【００４８】
なお、この構成では、何らかの事情でＬＡＮ１０３を介する通信が確立されなかった場合に、制御部２５は、第１通信部１５を用いた電話回線１０１を介する通信を選択するように構成されている。これに代えてあるいは加えて、制御部２５は、ＬＡＮ１０３を介する通信の通信速度が所定値よりも低い場合に、第２通信部１７を用いた電話回線１０１を介する通信を選択するように構成されてもよい。
【００４９】
すなわち、携帯端末４１が、ＬＡＮ１０３に接続されていない場合、あるいは、携帯端末４１とＬＡＮ１０３との接続が不安定となっている場合もありえる。このような場合でも、制御部２５は、電話回線１０１を介する通信を選択することができるので、ＬＡＮ１０３を使用することによって通信が不安定となることを抑制できる。
【００５０】
また、本実施形態では、制御部２５は、訪問者によって呼出ボタン１３が押された際に、呼出装置１１と携帯端末４１との通信のために、いずれの通信方法を用いるか、すなわち、電話回線１０１を介する通信とＬＡＮ１０３を介する通信とのいずれを用いるかを選択するように構成されている。
これに代えて、制御部２５は、呼出ボタン１３が押されたか否かによらず、たとえば周期的に、電話回線１０１を介する通信とＬＡＮ１０３を介する通信とのいずれを用いるかの選択を実施してもよい。この場合、制御部２５は、呼出ボタン１３が押されたときに、直近に選択された通信方法を用いて、呼出装置１１と携帯端末４１との通信を実施することができる。
【００５１】
また、制御部２５は、電話回線１０１を用いた通信が確立されなかった場合に、ＬＡＮ１０３を用いた通信の実施を試みるように構成されていてもよい。すなわち、制御部２５は、電話回線１０１を、ＬＡＮ１０３に対して優先的に用いてもよい。
【００５２】
これに関し、ＬＡＮ１０３による無線ＬＡＮ通信は、付近の他の無線ＬＡＮ通信と干渉する可能性があるとともに、他の機器から発せられる電波の影響を受ける可能性がある。このような場合には、ＬＡＮ１０３による通信速度が低下するため、制御部２５は、電話回線１０１を用いた通信を優先的に用いることが好ましい。
【００５３】
また、電話回線１０１を介する通信を優先的に用いる場合、制御部２５は、電話回線１０１による通信速度が所定値よりも低い場合に、第２通信部１７を用いたＬＡＮ１０３を介する通信を選択するように構成されてもよい。すなわち、携帯端末４１が、電話回線１０１の圏外あるいは圏外付近に位置している場合もありえる。このような場合でも、制御部２５は、ＬＡＮ１０３を介する通信を選択することができるので、電話回線１０１を使用することによって通信が不安定となることを抑制できる。
【００５４】
また、本実施形態では、ＬＡＮ１０３は、無線ＬＡＮとして構成されている。これに限らず、ＬＡＮ１０３は、有線ＬＡＮとして構成されてもよい。あるいはＬＡＮ１０３は、無線ＬＡＮおよび有線ＬＡＮの双方を含んでもよい。
【００５５】
この場合、図４に示すように、呼出装置１１の第２通信部１７は、有線ＬＡＮ通信部１７１および無線ＬＡＮ通信部１７３を備えていてもよい。有線ＬＡＮ通信部１７１は、有線ＬＡＮを介して携帯端末４１と通信するために用いられる。無線ＬＡＮ通信部１７３は、無線ＬＡＮを介して携帯端末４１と通信するために用いられる。この構成では、制御部２５は、第２通信部１７を用いたＬＡＮ１０３を介する通信を選択する際、さらに、有線ＬＡＮ通信部１７１および無線ＬＡＮ通信部１７３のいずれを用いるかを選択する。
【００５６】
この構成では、制御部２５は、あらかじめ設定されている基準に基づいて、有線ＬＡＮ通信部１７１および無線ＬＡＮ通信部１７３いずれを用いるかを選択してもよい。たとえば、制御部２５は、有線ＬＡＮ通信部１７１を用いた有線ＬＡＮ通信を優先的に選択し、何らかの事情で有線ＬＡＮの使用が困難である場合に、無線ＬＡＮ通信部１７３を用いた無線ＬＡＮ通信を選択するように構成されていてもよい。
【００５７】
あるいは、制御部２５は、無線ＬＡＮ通信部１７３（有線ＬＡＮ通信部１７１）による通信速度が所定値よりも低い場合に、有線ＬＡＮ通信部１７１（無線ＬＡＮ通信部１７３）を選択するように構成されてもよい。この構成では、制御部２５は、ＬＡＮ１０３を使用することによって通信が不安定となることを抑制できる。
【００５８】
また、本実施形態では、呼出装置１１が、マイクロフォン１９、スピーカー２１およびカメラ２３を備えている。これにより、呼出装置１１が、いわゆるインターホン子機として機能し、訪問者の音声および画像を携帯端末４１に送信すること、および、建物１の住人の音声を出力することができるので、訪問者と住人との間の意思疎通を円滑化することが可能となる。
【００５９】
これに代えて、呼出装置１１は、呼出ボタン１３、第１通信部１５、第２通信部１７および制御部２５を含む一方、マイクロフォン１９、スピーカー２１およびカメラ２３を備えなくてもよい。この構成では、制御部２５は、呼出ボタン１３が押されたことを、電話回線１０１あるいはＬＡＮ１０３のいずれかを介して携帯端末４１に伝達する。この構成では、呼出装置１１は、いわゆる呼び鈴として機能する。
【００６０】
また、本実施形態では、呼出装置１１が戸建て住宅である建物１の門柱２に設置されている。これに限らず、まず、呼出装置１１は、建物１の玄関脇に設置されていてもよい。また、建物１は、工場あるいはオフィスビルであってもよいし、集合住宅であってもよい。建物１が集合住宅である場合、呼出装置１１は、たとえば、建物１の集合玄関あるいは各戸の玄関脇に設置される。
【００６１】
また、本実施形態では、建物１の住人が、携帯端末４１を利用する建物管理者となっている。これに関し、携帯端末４１を利用する建物管理者は、住人に限らず、建物１の管理人等であってもよい。建物１がオフィスビルである場合には、携帯端末４１は、オフィスの関係者（従業員等）に利用されることができる。
【００６２】
また、本実施形態では、外部機器として、建物１の住人が所持する携帯端末４１が用いられている。このような携帯端末４１に代えて、呼出装置１１と通信するための外部機器は、本実施形態にかかるインターホンシステムにおける専用の応答装置（いわゆるインターホン親機）であってもよい。この応答装置は、建物１の住人の取り扱いやすい場所に設置されていることが好ましい。たとえば、応答装置は、建物１の内部に固定されていてもよいし、他の建物あるいは車両に固定されていてもよい。
【符号の説明】
【００６３】
１：建物、２：門柱、１０１：電話回線、１０３：ＬＡＮ
１１：呼出装置、１３：呼出ボタン、
１５：第１通信部、１５ａ：ＳＩＭカード、１７：第２通信部、
１９：マイクロフォン、２１：スピーカー、２３：カメラ、２５：制御部、
４１：携帯端末、４３：第３通信部、４３ａ：ＳＩＭカード、４５：第４通信部、
４９：マイクロフォン、５１：スピーカー、５３：画面、
５５：メモリ、５７：プロセッサ、６０：アプリケーションプログラム、
１７１：有線ＬＡＮ通信部、１７３：無線ＬＡＮ通信部
【図１】
2020136917.tif 000003
【図２】
2020136917.tif 000004
【図３】
2020136917.tif 000005
【図４】
2020136917.tif 000006